(57)【要約】【課題】道路トンネル内の視感透過率測定に用いられる煙霧透過率測定装置は、一般的に投光部と受光部を１００ｍ離して設置される。煙霧透過率測定装置の異常の一つに、瞬時に生じた光軸ズレや光源の不点灯により受光素子の電気信号が急激に低下することが挙げられる。このままの状態では、換気制御装置は道路トンネル内の視環境が悪化したと判断し、道路トンネルに設けられた換気機を緊急運転するという課題がある。【解決手段】一定間隔ごとに収集する受光部からの電気信号の時間的変化より瞬時に透過率が低下した状態を検知し、換気制御装置に煙霧透過率測定装置の異常を通知することで処理対象から除外することができ、換気機が緊急運転することを防ぐ。【選択図】図２
2014066601.tif 000002
【特許請求の範囲】
【請求項１】
光源と、光源から投射された光を受光する受光素子と、受光素子から出力される電気信号を演算処理する処理部により構成される煙霧透過率測定装置において、
演算した透過率の今回値と前回値を比較し、その差が一定値以上であれば異常を検知し換気制御装置に通知する煙霧透過率測定装置。
【請求項２】
光源と、光源から投射された光を受光する受光素子と、受光素子から出力される電気信号を演算処理する処理部により構成される煙霧透過率測定装置において、
演算した透過率値の今回値と時間Δｔ前の前回値を比較し、その差が一定値以上であれば異常を検知し換気制御装置に通知する煙霧透過率測定装置。
【請求項３】
光源と、光源から投射された光を受光する受光素子と、受光素子から出力される電気信号を演算処理する処理部により構成される煙霧透過率測定装置において、
演算した透過率の今回値が閾値を下回ったとき、前回値と比較し、その差が一定値以上であれば異常を検知し換気制御装置に通知する煙霧透過率測定装置。
【請求項４】
光源と、光源から投射された光を受光する受光素子と、受光素子から出力される電気信号を演算処理する処理部により構成される煙霧透過率測定装置において、
演算した透過率の今回値が閾値を下回ったとき、前回値と比較し、その差が一定値以上であり、かつ閾値を下回った状態が所定時間連続したときに異常を検知し換気制御装置に通知する煙霧透過率測定装置。
【発明の詳細な説明】
【技術分野】
【０００１】
本発明は、道路トンネル内の視感透過率測定に使用される煙霧透過率測定装置の異常検知方法に関するものである。
【背景技術】
【０００２】
従来、道路トンネル内の視感透過率測定に用いられる煙霧透過率測定装置は、一般的に投光部と受光部を１００ｍ離して設置され、投光部の光源から投射された光が受光部の受光素子で受光できるように光軸を合わせる調整作業を行う。透過率は、投光部の光源から投射された光が、道路トンネル内に存在する煤煙の微粒子の吸収または散乱により変化し、受光部の受光素子でその変化に応じた電気信号に変換され、処理部で演算処理することにより得られる。また、道路トンネル用換気制御装置はこの透過率を基に道路トンネル内の視環境改善のための換気機運転を行う。
【０００３】
煙霧透過率測定装置の異常には、（１）光源の不点灯（２）受光素子の感度異常（３）光軸のズレ、が挙げられるが、処理部ではいずれも透過率の低下として判定される。煙霧透過率測定装置の異常を自動的に判定する方法については、過去に相互測定型透過率計において提案されている。図６は、相互測定型透過率計の構成図である。所定の間隔を置いて配置された投受光器１０２および投受光器１０７により透過率を測定する相互測定型透過率計において、光源１０１および光源１０８の投射光は同期して周期的に回転するミラー１０３およびミラー１０５により受光素子１０４および受光素子１０６で受光される。光源１０１の投射光を受光素子１０６で受光したときの透過率と光源１０８の投射光を受光素子１０４で受光したときの透過率を処理部１０９で比較し、透過率が同一であれば正しく測定しており、透過率が不一致であれば透過率計の異常を判定する。（特許文献１）
【先行技術文献】
【特許文献】
【０００４】
【特許文献１】特開昭６２−２３２５４１号公報
【発明の概要】
【発明が解決しようとする課題】
【０００５】
しかしながら、特許文献１による判定方法は、光源および受光素子を両方の投受光器に備え、かつ受光素子が受光する光の経路を切り替えるためのミラーおよびミラーを駆動するための装置を備えなければならない。また、道路トンネル内の走行車両が衝突すること等によって瞬時に光軸ズレが生じたときには、透過率の不一致が生じないため異常判定が行えない。
【０００６】
本発明は、上記の課題を解決し、安価で簡単な装置構成による道路トンネル用煙霧透過率測定装置における異常検知方法を提供することを目的とする。
【課題を解決するための手段】
【０００７】
本発明の道路トンネル用煙霧透過率測定装置における異常検知方法は、上記目的を達成するため、一定間隔で収集する受光部からの電気信号の時間変化より光軸のズレや光源の不点灯の状態を検知する方法である。
【発明の効果】
【０００８】
本発明によれば、道路トンネル用煙霧透過率測定装置において、光源および受光素子を両方の投受光器に必要とせず、またミラー等による光の経路を切り替える装置を備えることなく煙霧透過率測定装置の瞬時に生じた光軸のズレや光源の不点灯による異常を検知することができる。また、道路トンネル用換気制御装置に煙霧透過率測定装置の異常を通知することで、瞬時に生じた光軸のズレや光源の不点灯による透過率の低下により道路トンネル内視環境の改善を目的として換気機が緊急運転することを防ぐことができる。
【図面の簡単な説明】
【０００９】
【図１】本発明の道路トンネル用煙霧透過率測定装置および換気制御設備の構成図
【図２】実施の形態１の煙霧透過率測定装置における透過率の時間変化説明図
【図３】実施の形態２の煙霧透過率測定装置における透過率の時間変化説明図
【図４】実施の形態３の煙霧透過率測定装置における透過率の時間変化説明図
【図５】実施の形態４の煙霧透過率測定装置における透過率の時間変化説明図
【図６】従来の相互測定型透過率計の構成図
【発明を実施するための形態】
【００１０】
本発明の実施の形態について図を参照しながら説明する。
【００１１】
（実施の形態１）
図１は、道路トンネル用煙霧透過率測定装置および換気制御設備の構成図である。図１によれば、道路トンネル用煙霧透過率測定装置は、光源１１を有する投光部１２と、投光部１２から投射された光を受光する受光素子１５を有する受光部１４と、受光部１４から出力される電気信号を演算処理し透過率を求める処理部１６により構成される。投光部１２、受光部１４は、道路トンネル１９内の壁面に取り付けられる。このとき、投光部１２と受光部１４は、所定の距離（ほとんどの場合１００ｍ）離されて設置される。そして、光源１１から発する光を受光素子１５が検出できるように光軸１３が調整される。
【００１２】
投光部１２では光源１１の発した光を機械的に変調するあるいは光源１１に供給する電源を制御することにより断続的に光を投射する。投射された光は空間を経て受光部１４の受光素子１５に照射され光電変換される。ここで、光源１１と受光素子１５を直線で結ぶ線を光軸１３と呼ぶ。処理部１６では受光部１４から出力される電気信号を一定間隔ごとに収集し、収集した電気信号を演算処理し透過率を求める。処理部１６で演算処理された透過率は換気制御装置１７に送信され、換気制御装置１７は道路トンネル１９内の視環境改善のために必要な換気機１８の運転風量を決定する。
【００１３】
図２は実施の形態のうち透過率の時間変化説明図（１）である。図２によると、処理部１６は、一定間隔で演算した透過率の今回値Ｖ１と前回値Ｖ０を比較し、その差がΔＶ以上であれば異常を検知し、換気制御装置１７に通知する。処理部１６より煙霧透過率測定装置異常の通知を受けた換気制御装置１７は、処理部１６からの透過率を処理対象から除外することで換気機の緊急運転を防止することができ、不要な換気機の運転を抑えることができるのである。
【００１４】
なお、本発明は、光源と受光素子が同一のケースに収納され、反射部を有する透過率計にも適用できる。
【００１５】
（実施の形態２）
図３は実施の形態のうち透過率の時間変化説明図（２）である。図３によると、処理部１６は、一定間隔で演算した透過率の今回値Ｖ１と時間Δｔ前の前回値Ｖ０を比較し、その差がΔＶ以上であれば異常を検知し、換気制御装置１７に通知する。
【００１６】
（実施の形態３）
図４は実施の形態のうち透過率の時間変化説明図（３）である。図４によると、処理部１６は、一定間隔で演算した透過率の今回値Ｖ１が閾値Ｖ２を下回ったとき、前回値Ｖ０と比較してその差がΔＶ以上であれば異常を検知し、換気制御装置１７に通知する。
【００１７】
（実施の形態４）
図５は実施の形態のうち透過率の時間変化説明図（４）である。図５によると、処理部１６は、一定間隔で演算した透過率値の今回値Ｖ１が閾値Ｖ２を下回ったとき、前回値Ｖ０と比較してその差がΔＶ以上であり、かつ閾値Ｖ０を下回った状態が連続して時間ｔを経過したとき異常を検知し、換気制御装置１７に通知する。
【産業上の利用可能性】
【００１８】
本発明は、道路トンネルの視感透過率測定に使用される煙霧透過率測定装置の異常検知に用いることができる。
【符号の説明】
【００１９】
１１  光源
１２  投光部
１３  光軸
１４  受光部
１５  受光素子
１６  処理部
１７  換気制御装置
１８  換気機
１９  道路トンネル
１０１  光源
１０２  投受光器
１０３  ミラー
１０４  受光素子
１０５  ミラー
１０６  受光素子
１０７  投受光器
１０８  光源
１０９  処理部
【図１】
2014066601.tif 000003
【図２】
2014066601.tif 000004
【図３】
2014066601.tif 000005
【図４】
2014066601.tif 000006
【図５】
2014066601.tif 000007
【図６】
2014066601.tif 000008